(57)【要約】【課題】結露の発生を確実に防止することができる防露ヒータ制御装置を提供することである。【解決手段】本発明にかかる防露ヒータ制御装置１０は、日時と当該日時における露点とを対応づけた露点情報を格納している露点情報格納部１１と、現在の日時における予測露点Ｄｐと実際に測定された実測露点Ｄａとを比較する露点比較部１２と、予測露点Ｄｐと実測露点Ｄａとの比較結果に応じて、露点情報格納部１１に格納されている露点情報Ｄｐまたは実測露点Ｄａを用いて防露ヒータ３２の目標温度Ｔｓを設定する目標温度設定部１３と、防露ヒータ３２が設置されている防露対象部３１の温度が目標温度Ｔｓとなるように防露ヒータ３２を制御する防露ヒータ制御部１４と、を備える。目標温度設定部１３は、実測露点Ｄａが予測露点Ｄｐよりも高い場合に実測露点Ｄａを用いて目標温度Ｔｓを設定する。【選択図】図１
2014238220.tif 000002
【特許請求の範囲】
【請求項１】
日時と当該日時における露点とを対応づけた露点情報を格納している露点情報格納部と、
前記露点情報格納部から出力された現在の日時における予測露点と実際に測定された実測露点とを比較する露点比較部と、
前記予測露点と前記実測露点との比較結果に応じて、前記露点情報格納部に格納されている露点情報または前記実測露点を用いて防露ヒータの目標温度を設定する目標温度設定部と、
前記防露ヒータが設置されている防露対象部の温度が前記目標温度となるように前記防露ヒータを制御する防露ヒータ制御部と、を備え、
前記目標温度設定部は、前記実測露点が前記予測露点よりも高い場合に前記実測露点を用いて前記目標温度を設定する、
防露ヒータ制御装置。
【請求項２】
前記目標温度設定部は、前記実測露点が前記予測露点以下である場合に前記予測露点を用いて前記目標温度を設定する、請求項１に記載の防露ヒータ制御装置。
【請求項３】
前記予測露点をＤｐ、前記実測露点をＤａ、第１の閾値をＴ１（ただし、Ｔ１＞０とする）とした場合、前記目標温度設定部は、前記実測露点ＤａがＤａ＜Ｄｐ−Ｔ１の条件を満たす場合に前記実測露点Ｄａを用いて前記目標温度を設定する、請求項１に記載の防露ヒータ制御装置。
【請求項４】
前記目標温度設定部は、前記実測露点ＤａがＤｐ−Ｔ１≦Ｄａ≦Ｄｐの条件を満たす場合に前記予測露点Ｄｐを用いて前記目標温度を設定する、請求項３に記載の防露ヒータ制御装置。
【請求項５】
前記目標温度設定部は、前記実測露点が前記予測露点よりも高い場合、前記目標温度が前記実測露点よりも所定の温度だけ高くなるように前記目標温度を設定する、請求項１乃至４のいずれか一項に記載の防露ヒータ制御装置。
【請求項６】
前記目標温度設定部は、将来の日時における予測露点を用いて前記目標温度を設定する、請求項１に記載の防露ヒータ制御装置。
【請求項７】
前記目標温度設定部は、前記防露対象部の熱特性に関する情報を参照して、前記目標温度を設定する、請求項６に記載の防露ヒータ制御装置。
【請求項８】
前記防露ヒータ制御装置はネットワーク回線に接続されており、当該ネットワーク回線を介して前記露点情報格納部に格納されている前記露点情報を書き換え可能に構成されている、請求項１乃至７のいずれか一項に記載の防露ヒータ制御装置。
【請求項９】
日時と当該日時における露点とを対応づけて格納している露点情報を参照して現在の日時の予測露点を取得し、
実際に測定された実測露点を取得し、
前記予測露点と前記実測露点とを比較し、
前記予測露点と前記実測露点との比較結果に応じて、前記露点情報または前記実測露点を用いて防露ヒータの目標温度を設定し、
前記防露ヒータが設置されている防露対象部の温度が前記目標温度となるように前記防露ヒータを制御し、
前記目標温度を設定する際、前記実測露点が前記予測露点よりも高い場合に前記実測露点を用いて前記目標温度を設定する、
防露ヒータ制御方法。
【発明の詳細な説明】
【技術分野】
【０００１】
本発明は防露ヒータ制御装置および防露ヒータ制御方法に関する。
【背景技術】
【０００２】
対象部の温度が露点よりも低い場合、対象部には結露が発生する。このような結露の発生は、対象部に防露ヒータを設置し、対象部の温度が露点よりも高くなるようにすることで防止することができる。
【０００３】
特許文献１には、ショーケースが備える防露対象部の結露を確実に防止することができる防露ヒータ制御装置に関する技術が開示されている。特許文献１に開示されている防露ヒータ制御装置は、防露対象部の表面温度を測定する温度センサと、温度センサにより測定された表面温度を、ショーケースを設置する店舗内の露点よりも高くその露点に近づけた目標温度となるように防露ヒータのオン・オフを制御するヒータ制御部とを備える。
【先行技術文献】
【特許文献】
【０００４】
【特許文献１】特開２０１１−２５７０２５号公報
【発明の概要】
【発明が解決しようとする課題】
【０００５】
特許文献１に開示されているヒータ制御装置では、ショーケースを設置する店舗の一年間の露点情報を用いて毎月の目標温度を設定している。毎月の目標温度は、その月期間の露点の最高値よりも高くなるように予め設定している。
【０００６】
しかしながら、露点は日々変動するため実際の露点が目標温度よりも高くなる場合も想定される。特に気温や湿度が大きく変動する環境下では、過去の露点データに基づいて目標温度を設定したとしても、実際の露点が目標温度よりも高くなる場合がある。このように、実際の露点が目標温度よりも高くなると結露が生じてしまうという問題があった。
【０００７】
上記課題に鑑み本発明の目的は、結露の発生を確実に防止することができる防露ヒータ制御装置および防露ヒータ制御方法を提供することである。
【課題を解決するための手段】
【０００８】
本発明にかかる防露ヒータ制御装置は、日時と当該日時における露点とを対応づけた露点情報を格納している露点情報格納部と、前記露点情報格納部から出力された現在の日時における予測露点と実際に測定された実測露点とを比較する露点比較部と、前記予測露点と前記実測露点との比較結果に応じて、前記露点情報格納部に格納されている露点情報または前記実測露点を用いて防露ヒータの目標温度を設定する目標温度設定部と、前記防露ヒータが設置されている防露対象部の温度が前記目標温度となるように前記防露ヒータを制御する防露ヒータ制御部と、を備え、前記目標温度設定部は、前記実測露点が前記予測露点よりも高い場合に前記実測露点を用いて前記目標温度を設定する。
【０００９】
本発明にかかる防露ヒータ制御方法は、日時と当該日時における露点とを対応づけて格納している露点情報を参照して現在の日時の予測露点を取得し、実際に測定された実測露点を取得し、前記予測露点と前記実測露点とを比較し、前記予測露点と前記実測露点との比較結果に応じて、前記予測露点または前記実測露点を用いて防露ヒータの目標温度を設定し、前記防露ヒータが設置されている防露対象部の温度が前記目標温度となるように前記防露ヒータを制御し、前記目標温度を設定する際、前記実測露点が前記予測露点よりも高い場合に前記実測露点を用いて前記目標温度を設定する。
【発明の効果】
【００１０】
本発明により、結露の発生を確実に防止することができる防露ヒータ制御装置および防露ヒータ制御方法を提供することができる。
【図面の簡単な説明】
【００１１】
【図１】実施の形態１にかかる防露ヒータ制御装置を示すブロック図である。
【図２】実施の形態１にかかる防露ヒータ制御装置の動作を説明するためのフローチャートである。
【図３】実施の形態１にかかる防露ヒータ制御装置における目標温度設定方法を説明するための図である。
【図４】実施の形態２にかかる防露ヒータ制御装置の動作を説明するためのフローチャートである。
【図５】実施の形態２にかかる防露ヒータ制御装置における目標温度設定方法を説明するための図である。
【発明を実施するための形態】
【００１２】
＜実施の形態１＞
以下、図面を参照して本発明の実施の形態について説明する。図１は、本実施の形態にかかる防露ヒータ制御装置を示すブロック図である。図１に示すように、本実施の形態にかかる防露ヒータ制御装置１０は、露点情報格納部１１、露点比較部１２、目標温度設定部１３、および防露ヒータ制御部１４を備える。
【００１３】
図１に示す防露対象部３１には、結露の発生を防止するための防露ヒータ３２が設けられている。防露ヒータ制御装置１０は、防露対象部３１に設けられている防露ヒータ３２を制御する。例えば防露ヒータ３２は防露対象部３１に埋設されている。防露対象部３１が床である場合、防露ヒータ３２は床を構成する部材に埋設されている。
【００１４】
防露対象部３１の表面には、防露対象部３１の表面温度を測定するための温度計３３が設けられている。また、防露対象部３１の表面から離間した箇所には、防露対象部３１の近傍の露点を測定するための露点計３４が設けられている。例えば露点計３４は、温度計と湿度計とを用いて構成してもよい。つまり、測定した温度および湿度を用いて露点を求めてもよい。
【００１５】
露点情報格納部１１は、日時と当該日時における露点とを対応づけた露点情報（テーブル）を格納している。露点情報は、防露ヒータ３２を設置する場所の気候に応じて個別に作成される。例えば露点情報は、一年間（３６５日）の各日における１時間毎の露点情報である。なお、露点情報を作成する日にちは、２日毎や１週間毎であってもよい。また、露点情報を作成する時間の間隔は、３０分毎や２時間毎であってもよい。露点情報を作成する日にち及び時間間隔は任意に決定することができる。
【００１６】
露点情報は、例えば過去の露点情報を用いて作成することができる。例えば、２０１３年７月１日の露点情報を作成する場合は、２０１２年７月１日の露点情報（同じ時刻における露点情報）を用いて作成することができる。また、露点情報は過去数年間の露点情報を用いて作成してもよい。例えば、２０１３年７月１日の露点情報を作成する場合は、過去数年間（例えば過去５年間の場合は２００８年〜２０１２年）の７月１日の露点情報を用いて作成してもよい。この場合は、過去数年間の７月１日の露点情報（同じ時刻における露点情報）の平均値を用いてもよい。また露点情報は、過去の露点情報を参考にして予測した値を用いてもよい。また露点情報は、気象情報を提供するサイトからネットワーク回線を経由して取得してもよい。
【００１７】
露点情報格納部１１は、現在の日時（日にちと時刻）に対応する露点情報（以下、予測露点Ｄｐという）を露点比較部１２および目標温度設定部１３に出力する。例えば防露ヒータ制御装置１０にはタイマーが内蔵されており、露点情報格納部１１はこのタイマーから現在の日にちと時刻を取得し、当該日にちと時刻に対応した予測露点Ｄｐを露点情報（テーブル）から読み出して出力する。
【００１８】
露点比較部１２は、露点情報格納部１１から出力された現在の日時における予測露点Ｄｐと、露点計３４を用いて実際に測定された実測露点Ｄａとを比較し、これらの比較結果２１を目標温度設定部１３に出力する。
【００１９】
目標温度設定部１３は、予測露点Ｄｐと実測露点Ｄａとの比較結果２１に応じて、予測露点Ｄｐまたは実測露点Ｄａを用いて防露ヒータの目標温度Ｔｓを設定する。例えば図３に示すように、目標温度設定部１３は、実測露点Ｄａが予測露点Ｄｐよりも高い場合（Ｄｐ＜Ｄａ）、実測露点Ｄａを用いて目標温度Ｔｓを設定する。また、実測露点Ｄａが予測露点Ｄｐ以下である場合（Ｄａ≦Ｄｐ）、予測露点Ｄｐを用いて目標温度Ｔｓを設定する。
【００２０】
具体的に説明すると、例えば予測露点Ｄｐが２０℃、実測露点Ｄａが１８℃である場合、実測露点Ｄａは予測露点Ｄｐ以下であるので、この場合は予測露点Ｄｐを用いて目標温度Ｔｓを設定する。一方、予測露点Ｄｐが２０℃、実測露点Ｄａが２２℃である場合、実測露点Ｄａが予測露点Ｄｐよりも高いので、この場合は実測露点Ｄａを用いて目標温度Ｔｓを設定する。
【００２１】
実測露点Ｄａが予測露点Ｄｐよりも高い場合、目標温度Ｔｓが実測露点Ｄａよりも若干高くなるように（つまり、所定の温度だけ高くなるように）設定してもよい。例えば目標温度Ｔｓを実測露点Ｄａ（２２℃）よりも２℃高い２４℃に設定してもよい。このように、実測露点Ｄａよりも若干高くなるように目標温度Ｔｓを設定することで、防露対象部３１への結露を確実に抑制することができる。
【００２２】
目標温度設定部１３は、予測露点Ｄｐと実測露点Ｄａとが乖離している場合、今回取得した実測露点Ｄａに関する情報２２を露点情報格納部１１に書き込むようにしてもよい。このように露点情報格納部１１の露点情報を更新することで、露点情報の信頼性を向上させることができる。
【００２３】
防露ヒータ制御部１４は、防露ヒータ３２が設置されている防露対象部３１の温度が目標温度Ｔｓとなるように防露ヒータ３２を制御する。つまり防露ヒータ制御部１４は、温度計３３から防露対象部３１の温度Ｔａを取得し、防露対象部３１の温度Ｔａが目標温度Ｔｓとなるように防露ヒータ３２を制御する。防露ヒータ制御部１４は、防露ヒータ３２をオン・オフ制御してもよい。
【００２４】
次に、本実施の形態にかかる防露ヒータ制御装置１０の動作（つまり、防露ヒータ制御方法）について、図２に示すフローチャートを用いて説明する。なお、露点情報格納部１１には、予め日時と当該日時における露点とを対応づけた露点情報（テーブル）が格納されているものとする。
【００２５】
まず、露点比較部１２は、現在の日時に対応する予測露点Ｄｐを露点情報格納部１１から取得する（ステップＳ１）。次に、露点比較部１２は、露点計３４で実際に測定された実測露点Ｄａを取得する（ステップＳ２）。そして露点比較部１２は、露点情報格納部１１から出力された現在の日時における予測露点Ｄｐと、露点計３４を用いて実際に測定された実測露点Ｄａとを比較する（ステップＳ３）。
【００２６】
目標温度設定部１３は、実測露点Ｄａが予測露点Ｄｐ以下である場合（ステップＳ４：Ｙｅｓ）、予測露点Ｄｐを用いて目標温度Ｔｓを設定する（ステップＳ５）。一方、目標温度設定部１３は、実測露点Ｄａが予測露点Ｄｐよりも高い場合（ステップＳ４：Ｎｏ）、実測露点Ｄａを用いて目標温度Ｔｓを設定する（ステップＳ６）。
【００２７】
その後、防露ヒータ制御部１４は、防露ヒータ３２が設置されている防露対象部３１の温度が目標温度Ｔｓとなるように防露ヒータ３２を制御する（ステップＳ７）。
【００２８】
特許文献１に開示されているヒータ制御装置では、ショーケースを設置する店舗の一年間の露点情報を用いて毎月の目標温度を設定している。毎月の目標温度は、その月期間の露点の最高値よりも高くなるように設定している。
【００２９】
しかしながら、露点は日々変動するため実際の露点が目標温度よりも高くなる場合も想定される。特に気温や湿度が大きく変動する環境下では、過去の露点データに基づいて目標温度を設定したとしても、実際の露点が目標温度よりも高くなる場合がある。このように、実際の露点が目標温度よりも高くなると結露が生じてしまうという問題があった。
【００３０】
これに対して本実施の形態にかかる防露ヒータ制御装置１０では、予測露点Ｄｐと実測露点Ｄａとを比較し、これらの比較結果に応じて防露ヒータの目標温度Ｔｓを設定している。つまり防露ヒータ制御装置１０は、通常は予測露点Ｄｐを用いて目標温度Ｔｓを設定しているが、実測露点Ｄａが予測露点Ｄｐよりも高い場合（Ｄｐ＜Ｄａ）は、実測露点Ｄａを用いて目標温度Ｔｓを設定するようにしている。よって、気温や湿度が大きく変動し、実測露点Ｄａが予測露点Ｄｐよりも高くなった場合であっても、防露対象部３１が結露することを抑制することができる。
【００３１】
また本実施の形態にかかる防露ヒータ制御装置１０では、通常は露点情報格納部１１に格納されている予測露点Ｄｐを用いて目標温度Ｔｓを設定しているので、年間を通しての防露ヒータの消費電力を容易に見積もることができる。
【００３２】
また本実施の形態にかかる防露ヒータ制御装置１０では、露点情報格納部１１に格納されている将来の日時における予測露点Ｄｐを用いて目標温度Ｔｓを設定してもよい。防露対象部３１は所定の熱容量を有するため、防露ヒータ３２を用いて防露対象部３１を所定の温度に加熱するには所定の時間を要する。よって目標温度設定部１３は、防露対象部３１の温度が上がりにくい場合（つまり防露対象部３１の熱容量が大きい場合）は、目標温度Ｔｓを設定する際に、将来の日時における予測露点Ｄｐを用いて目標温度Ｔｓを設定してもよい。特に、今後、露点温度が急激に上昇することが予想される場合は、将来の日時における予測露点Ｄｐを用いて目標温度Ｔｓを設定することで、防露対象部３１の温度が露点よりも低くなることを抑制することができる。このとき目標温度設定部１３は、防露対象部３１の熱特性（熱容量）に関する情報を参照して目標温度Ｔｓを設定する。例えば防露対象部３１の熱特性（熱容量）に関する情報は、防露ヒータ制御装置１０の所定の箇所に予め格納されている。
【００３３】
また、目標温度設定部１３は、今後、露点温度が下がることが予想される場合は、防露ヒータ３２が早めにオフ状態となるように目標温度Ｔｓを設定してもよい。このように露点温度が下がることが予想される場合、防露ヒータ３２を早めにオフ状態とすることで、防露ヒータ３２の消費電力を低減することができる。
【００３４】
＜実施の形態２＞
次に、本発明の実施の形態２について説明する。本実施の形態にかかる防露ヒータ制御装置では、目標温度設定部１３における目標温度Ｔｓの設定方法が実施の形態１で説明した場合と異なる。これ以外は実施の形態１で説明した防露ヒータ制御装置と同様であるので重複した説明は省略する。
【００３５】
図４は、本実施の形態にかかる防露ヒータ制御装置の動作を説明するためのフローチャートである。図４に示すステップＳ１１〜Ｓ１３、Ｓ１７は、図２に示したステップＳ１〜Ｓ３、Ｓ７と同様であるので重複した説明は省略する。
【００３６】
本実施の形態にかかる防露ヒータ制御装置では、目標温度設定部１３において目標温度Ｔｓを設定する際に第１の閾値Ｔ１（Ｔ１＞０）を設け、実測露点ＤａがＤｐ−Ｔ１≦Ｄａ≦Ｄｐの条件を満たす場合（ステップＳ１４：Ｙｅｓ）、予測露点Ｄｐを用いて目標温度Ｔｓを設定している（ステップＳ１５）。一方、Ｄｐ−Ｔ１≦Ｄａ≦Ｄｐの条件を満たさない場合（ステップＳ１４：Ｎｏ）、予測露点Ｄａを用いて目標温度Ｔｓを設定している（ステップＳ１６）。
【００３７】
つまり図５に示すように、実測露点Ｄａ、予測露点Ｄｐ、および第１の閾値Ｔ１が、Ｄａ＜Ｄｐ−Ｔ１の条件を満たす場合、換言すると、予測露点Ｄｐと実測露点Ｄａとの差が第１の閾値Ｔ１よりも大きい場合（Ｔ１＜Ｄｐ−Ｄａ）、予測露点Ｄｐを用いて目標温度を設定すると、目標温度Ｔｓが実測露点Ｄａよりも大幅に高く設定されることになる。このため、防露ヒータの温度が必要以上に高くなり、防露ヒータの電力が無駄になる。
【００３８】
そこで本実施の形態では、予測露点Ｄｐと実測露点Ｄａとの差が第１の閾値Ｔ１よりも大きい場合（Ｔ１＜Ｄｐ−Ｄａ）、実測露点Ｄａを用いて目標温度を設定している。これにより、防露ヒータの温度が必要以上に高くなることを抑制することができる。
【００３９】
具体的に説明すると、例えば予測露点Ｄｐが２０℃、実測露点Ｄａが１３℃である場合、実測露点Ｄａは予測露点Ｄｐ以下である。このとき、目標温度Ｔｓを予測露点Ｄｐである２０℃に設定すると、目標温度Ｔｓが実測露点Ｄａである１３℃よりも大幅に高く設定されることになり、防露ヒータの電力が無駄になる。
【００４０】
例えば第１の閾値Ｔ１を５℃に設定した場合は、予測露点Ｄｐ（２０℃）と実測露点Ｄａ（１３℃）との差（７℃）は第１の閾値Ｔ１（５℃）よりも大きくなる。この場合、実測露点Ｄａ（１３℃）を用いて目標温度を設定することで、防露ヒータの温度が必要以上に高くなることを抑制することができる。
【００４１】
このとき、目標温度Ｔｓが実測露点Ｄａよりも若干高くなるように設定してもよい。例えば目標温度Ｔｓを実測露点Ｄａ（１３℃）よりも２℃高い１５℃に設定してもよい。このように、実測露点Ｄａよりも若干高くなるように目標温度Ｔｓを設定することで、防露対象部３１への結露を確実に抑制することができる。
【００４２】
また図５に示すように、実測露点ＤａがＤｐ−Ｔ１≦Ｄａ≦Ｄｐの条件を満たす場合は、予測露点Ｄｐを用いて目標温度Ｔｓを設定する。換言すると、予測露点Ｄｐと実測露点Ｄａとの差が第１の閾値Ｔ１以下（Ｔ１≧Ｄｐ−Ｄａ）で、且つ実測露点Ｄａが予測露点Ｄｐ以下の場合、予測露点Ｄｐを用いて目標温度Ｔｓを設定する。
【００４３】
具体的に説明すると、例えば予測露点Ｄｐが２０℃、実測露点Ｄａが１７℃である場合、予測露点Ｄｐと実測露点Ｄａとの差（３℃）は第１の閾値Ｔ１（５℃）以下となる。よってこの場合は、予測露点Ｄｐ（２０℃）を用いて目標温度Ｔｓを設定する。
【００４４】
また、実測露点Ｄａが予測露点Ｄｐよりも高い場合（Ｄｐ＜Ｄａ）、実測露点Ｄａを用いて目標温度Ｔｓを設定する。具体的に説明すると、例えば予測露点Ｄｐが２０℃、実測露点Ｄａが２２℃である場合、実測露点Ｄａが予測露点Ｄｐよりも高いので、この場合は実測露点Ｄａ（２２℃）を用いて目標温度Ｔｓを設定する。
【００４５】
実測露点Ｄａが予測露点Ｄｐよりも高い場合、目標温度Ｔｓが実測露点Ｄａよりも若干高くなるように（つまり、所定の温度だけ高くなるように）設定してもよい。例えば目標温度Ｔｓを実測露点Ｄａ（２２℃）よりも２℃高い２４℃に設定してもよい。このように、実測露点Ｄａよりも若干高くなるように目標温度Ｔｓを設定することで、防露対象部３１への結露を確実に抑制することができる。
【００４６】
以上で説明した本実施の形態にかかる発明により、防露ヒータの温度が必要以上に高くなることを抑制することができ、防露ヒータの電力消費量を低減することができる。
【００４７】
なお、本発明は上記実施の形態に限られたものではなく、趣旨を逸脱しない範囲で適宜変更することが可能である。例えば、防露ヒータ制御装置１０をネットワーク回線に接続し、サービス提供業者が各々の防露ヒータ制御装置をネットワーク回線を介して監視するように構成してもよい。例えばサービス提供業者は、天候変動や気象予報に応じて露点情報格納部１１に格納されている露点情報（テーブル）を書き換えるようにしてもよい。
【００４８】
また、防露ヒータ制御装置１０が備える内部メモリに、防露対象部３１の表面温度Ｔａ、実測露点Ｄａ、予測露点Ｄｐ、目標温度Ｔｓを保存するように構成してもよい。これらの情報を内部メモリに保存することで、防露ヒータ制御装置１０の制御状況を事後的に検証することができる。例えば同じ時刻における表面温度Ｔａと実測露点Ｄａとを比較することで、防露対象部３１に結露が発生したか否かを検証することができる。具体的には、表面温度Ｔａが実測露点Ｄａよりも低くなった時刻に、結露が発生したと判断することができる。このように結露が発生した場合は、防露ヒータ制御装置１０の制御パラメータを調整したり、使用する防露ヒータ３２を変更したりしてもよい。例えば、急な気候変動のために実測露点Ｄａが急に上昇して結露が発生した場合は、防露対象部３１の表面温度Ｔａの上昇が実測露点Ｄａの上昇に追いついていないことが想定される。このような場合は、防露対象部３１の表面温度Ｔａの上昇をより早くするために、防露ヒータ３２に供給する電力を大きくしたり、現在使用している防露ヒータをより多くの熱を発生する防露ヒータに変更したりしてもよい。
【００４９】
以上、本発明を上記実施形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。
【符号の説明】
【００５０】
１０  防露ヒータ制御装置
１１  露点情報格納部
１２  露点比較部
１３  目標温度設定部
１４  防露ヒータ制御部
３１  防露対象部
３２  防露ヒータ
３３  温度計
３４  露点計
【図１】
2014238220.tif 000003
【図２】
2014238220.tif 000004
【図３】
2014238220.tif 000005
【図４】
2014238220.tif 000006
【図５】
2014238220.tif 000007